(57)【特許請求の範囲】
【請求項１】
床枠組の内部の一部に開口部を備える開口床パネルと、開口床パネルの開口部に落とし込まれて取付けられる落とし込み床パネルとを有し、落とし込み床パネルに住宅設備ユニットを設置可能としてなる建物ユニットにおいて、
前記落とし込み床パネルは、床枠組と該床枠組上に取り付けられる床面材とを備え、前記床枠組は、前記開口床パネルの開口部の床枠材に沿う床枠材は備えず、互いに平行に配置された複数の床枠材と、該各床枠材に交差して配置され該各床枠材を互いに連結すべく該各床枠材に接合された複数の床枠材とを備え、前記各床枠材は、その先端部の端面に設けられた緊結金物で該開口床パネルの開口部の床枠材に突き当て結合されており、前記緊結金物は、前記落とし込み床パネルが前記開口部内に落とし込まれたとき、該開口部内での前記落とし込み床パネルの落とし込み位置を位置決めるべく前記開口部の前記床枠材に引っ掛かることを特徴とする建物ユニット。
【請求項２】
前記落とし込み床パネルの床枠材が金属材からなる請求項１記載の建物ユニット。
【発明の詳細な説明】
【０００１】
【発明の属する技術分野】
本発明は、ユニット建物を構成する建物ユニットに係り、特にバスユニット等の住宅設備ユニットを設置可能とする建物ユニットに関する。
【０００２】
【従来の技術】
従来、建物ユニットとして、特開平5-339997号公報に記載の如く、床枠組の内部の一部に開口部を備える開口床パネルと、開口床パネルの開口部に落とし込まれて取付けられる落とし込み床パネルとを有し、落とし込み床パネルに住宅設備ユニットを設置可能としてなるものがある。この建物ユニットによれば、住宅設備ユニットそれ自身の床面が高くても、当該住宅設備ユニットを載置する落とし込み床パネルの床面が、その住宅設備ユニットそれ自身の床面高さに応じて落とし込まれているので、結果として、設置後の住宅設備ユニットの床面と、当該建物ユニットの開口床パネルが形成する他の床面との間に段差が生ずることがない。もしくは、両者の間の段差を緩和することができる。このため、住宅設備の利用が一段と容易となり、高齢者や身障者の住宅に適用して好適である。
【０００３】
【発明が解決しようとする課題】
しかしながら、従来技術では、落とし込み床パネルの床枠組が方形状の外枠を構成する床枠材を有し、この外枠の床枠材を開口床パネルの開口部の床枠材に沿わせて結合することとしている。このため、下記（１）〜（３）の問題点がある。
（１）開口床パネルの開口部への落とし込み床パネルの取付部で、開口床パネルの開口部の床枠材と落とし込み床パネルの外枠の床枠材とがその開口部の全周に渡って重複するものとなり、コスト高となる。
【０００４】
（２）開口床パネルの開口部の内側に、落とし込み床パネルの外枠の床枠材が必ず沿い設けられ、バスユニット等の住宅設備ユニットの配管の落とし口がその落とし込み床パネルの外枠の床枠材と干渉し易い。このため、建物ユニット内における住宅設備ユニットの配管レイアウトの自由度を狭める。
【０００５】
（３）開口床パネルの開口部を該開口床パネルの外縁に沿って設けるとき、その外縁寄り開口部の内側に落とし込み床パネルの外枠の床枠材が必ず沿い設けられ、開口床パネルの外縁の外枠材に設けてある土台、頭継なぎを当該建物ユニットの下部構造体（基礎もしくは下階建物ユニット）にボルト締結するためのスペースを上述の落とし込み床パネルの床枠材が損なう。
【０００６】
本発明の課題は、開口床パネルの開口部に落とし込み床パネルを設ける建物ユニットにおいて、落とし込み床パネルと開口床パネルの床枠材の重複をなくしてコスト低減を図るとともに、住宅設備ユニットの配管レイアウトの自由度を高め、更に当該建物ユニットの下部構造体へのボルト締結スペースを確保することにある。
【０００７】
【課題を解決するための手段】
請求項１に記載の本発明は、床枠組の内部の一部に開口部を備える開口床パネルと、開口床パネルの開口部に落とし込まれて取付けられる落とし込み床パネルとを有し、落とし込み床パネルに住宅設備ユニットを設置可能としてなる建物ユニットにおいて、前記落とし込み床パネルは、床枠組と該床枠組上に取り付けられる床面材とを備え、前記床枠組は、前記開口床パネルの開口部の床枠材に沿う床枠材は備えず、互いに平行に配置された複数の床枠材と、該各床枠材に交差して配置され該各床枠材を互いに連結すべく該各床枠材に接合された複数の床枠材とを備え、前記各床枠材は、その先端部の端面に設けられた緊結金物で該開口床パネルの開口部の床枠材に突き当て結合されており、前記緊結金物は、前記落とし込み床パネルが前記開口部内に落とし込まれたとき、該開口部内での前記落とし込み床パネルの落とし込み位置を位置決めるべく前記開口部の前記床枠材に引っ掛かるようにしたものである。
【０００９】
請求項２に記載の本発明は、請求項１に記載の本発明において更に、前記落とし込み床
パネルの床枠材が金属材からなるようにしたものである。
【００１０】
【作用】
請求項１に記載の本発明によれば下記（１）〜（３）の作用がある。
（１）落とし込み床パネルの床枠材が開口床パネルの開口部の床枠材に突き当て結合される。このため、開口床パネルの開口部への落とし込み床パネルの取付部で、開口床パネルの開口部の床枠材と落とし込み床パネルの外枠の床枠材との重複がなく、コスト低減できる。
【００１１】
（２）開口床パネルの開口部の内側に、落とし込み床パネルの床枠材が沿い設けられることがなく、バスユニット等の住宅設備ユニットの配管の落とし口を開口床パネルの開口部のすぐ内側に、落とし込み床パネルの床枠材と干渉することなく配置できる。このため、建物ユニット内における住宅設備ユニットの配管レイアウトの自由度を高めることができる。
【００１２】
（３）開口床パネルの開口部を該開口床パネルの外縁に沿って設けるときにも、その外縁寄り開口部の内側に落とし込み床パネルの外枠の床枠材が沿い設けられることがない。このため、開口床パネルの外縁の外枠材に設けてある土台、頭継なぎを当該建物ユニットの下部構造体（基礎もしくは下階建物ユニット）にボルト締結するためのスペースを落とし込み床パネルの床枠材が損なうことがなく、当該建物ユニットの下部構造体へのボルト締結スペースを確保できる。
【００１３】
更に、請求項１に記載の本発明によれば下記（４）の作用がある。
（４）落とし込み床パネルの床枠材が先端部に設けた緊結金物で開口床パネルの開口部の床枠材に結合される。従って、落とし込み床パネルの床枠材を、開口床パネルの開口部の床枠材に強固に取付けできる。
【００１４】
請求項２に記載の本発明によれば下記（５）の作用がある。
（５）落とし込み床パネルの床枠材が鋼等の金属材からなるものとした。従って、落とし込み床パネルの厚みを薄くしても、バスユニット等の住宅設備ユニットの荷重に十分耐えることができる。また、床枠材の高強度化により、床枠材の設置間隔を大きくしてもバスユニット等の住宅設備ユニットの荷重に十分耐えることができ、床枠材と配管とが干渉しにくく、建物ユニット内における住宅設備ユニットの配管レイアウトの自由度を高めることができる。
【００１５】
【発明の実施の形態】
図１は建物ユニットを示す模式図、図２は建物ユニットへのバスユニットの設置状態を示す模式図、図３は図２のIII-III 線に沿う断面図、図４は図２のIV-IV 線に沿う断面図、図５は開口床パネルへの落とし込み床パネルの取付状態を示す模式図、図６は落とし込み床パネルを示す模式図、図７は落とし込み床パネルへの床面材の取付状態を示す模式図、図８は緊結金物を示す模式図、図９は緊結金物を示す模式図である。
【００１６】
建物ユニット１０は、図１に示す如く、床パネル１１と壁パネル１２〜１４とからなり、床パネル１１を開口床パネル２１と落とし込み床パネル３１にて構成し、開口床パネル２１と落とし込み床パネル３１との間に間仕切りパネル１５を立て、開口床パネル２１の側を脱衣所１６とし、落とし込み床パネル３１の側にバスユニット１７を設置することとしている。バスユニット１７は、図２〜図４に示す如く、浴槽１８と洗い場１９とを有する。
【００１７】
開口床パネル２１は、図１、図５に示す如く、落とし込み床パネル３１の落とし込み枠を定める方形状の開口部２１Ａと、脱衣所１６となる床部２１Ｂとを有する。開口床パネル２１は、床枠組２２の上にパーチクルボード等の床面材２３を取付けることにて床構面として構成されている。床枠組２２は、木質材からなり、各一対の端根太２２Ａ、２２Ａと側根太２２Ｂ、２２Ｂを互いに釘打ち固定することにより外枠を構成し、この外枠内に中根太２２Ｃ、床根太２２Ｄを釘打ち固定して構成されている。床枠組２２は、中根太２２Ｃとこれの一方側にて相対する端根太２２Ａ、及び相対する側根太２２Ｂ、２２Ｂにより上述の対向部２１Ａを区画形成し、中根太２２Ｃとこれの他方側にて相対する端根太２２Ａ、及び相対する側根太２２Ｂ、２２Ｂ、並びに床根太２２Ｄにより上述の床部２１Ｂとなる床面材２３を支持する。床面材２３は床枠組２２の上面の形状に合せて形成され、開口部２１Ａに相当する部分は方形状に切り欠かれている。尚、端根太２２Ａ、側根太２２Ｂの下面には頭継なぎ（もしくは土台）２４が取付固定されている。
【００１８】
落とし込み床パネル３１は、図１、図５〜図７に示す如く、開口床パネル２１の開口部２１Ａに落とし込まれてバスユニット１７を支持する床構面として用いられるものであり、床枠組３２の上に構造用合板の床面材３３を取付けることにて構成されている。床枠組３２は、鋼管等の金属材からなる床小梁３２Ａ〜３２Ｈ（床枠材）を互いに溶接して構成されている。床枠組３２は、開口床パネル２１の開口部２１Ａを形成している端根太２２Ａ、側根太２２Ｂ、中根太２２Ｃに沿う床枠材は備えず、床小梁３２Ｃの先端部に設けた緊結金物３４、床小梁３２Ｄの一端部に設けた緊結金物３５、床小梁３２Ｄの他端部に設けた緊結金物３６、床小梁３２Ｅの先端部に設けた緊結金物３７、床小梁３２Ｆの先端部に設けた緊結金物３８、床小梁３２Ｇの先端部に設けた緊結金物３９、床小梁３２Ｈの先端部に設けた緊結金物４０で、開口床パネル２１の床枠組２１Ａのそれぞれ対応する端根太２２Ａ、側根太２２Ｂ、中根太２２Ｃの突き当て結合される。床面材３３は、床枠組３２の上面の形状に合せて形成される。このとき、床面材３３は、配管用切欠孔３３Ａ、開口床パネル２１の頭継なぎ２４を下階建物ユニットにボルト締結するためのボルト操作用切欠孔３３Ｂを備える。
【００１９】
尚、緊結金物３４（緊結金物３５、３７、４０も実質的に同じ）は、図８に示す如く、Ｌ字状をなし、Ｌ字の縦材３４Ａの下端部を床小梁３２Ｃに溶接され、Ｌ字の縦材３４Ａと横材３４Ｂの両方を開口床パネル２１の開口部２１Ａを構成する床枠組２２に釘打ちもしくはボルト締結される。また、緊結金物３６（緊結金物３８、３９も実質的に同じ）は、図９に示す如く、平板状をなし、下端部を床小梁３２Ｄに溶接され、開口床パネル２１の開口部２１Ａの床枠組に釘打ちもしくはボルト締結される。
【００２０】
落とし込み床パネル３１の厚みは、開口床パネル２１の厚みよりも、バスユニット１７の床面高さ（バスユニット１７の最下面からその洗い場の床面までの長さ）に相当する分だけ薄く設定されている。
【００２１】
壁パネル１２（壁パネル１３、１４、間仕切りパネル１５も実質的に同じ）は、上枠５１と下枠５２と縦枠５３とによって組み立てられて壁枠組の内外両面に石膏ボードや木片セメント板等の面材５４、５５を取付けることによって耐力壁として構成されている。これら壁パネル１２、１３、１４は、床パネル１１の３方の外縁に沿って配置され、それぞれ床パネル１１（開口床パネル２１）に下枠５２が釘打ちされることにより立設されている。尚、壁枠組の外側の面材５５は床パネル１１まで延びている。また、隣り合う壁パネル１２と１３、１３と１４とは、これらの壁枠組の最外側の縦枠を互いに突き合せて釘打ちされて緊結されている。
【００２２】
建物ユニット１０にあっては、バスユニット１７自身の床面が高くとも、当該バスユニット１７を載置する落とし込み床パネル３１の床面が落とし込まれているので、結果として、設置後のバスユニット１７の床面と、隣接する脱衣所１６の床面２１Ｂとの間に段差を生ずることがない。このため、住宅設備の利用が一段と容易となり、高齢者や身障者の住宅に適用して好適である。また、バスユニット１７が開口部２１Ａの中に落とし込まれる分だけバスユニット１７の天井を高くすることができ、圧迫感を与えないバスユニット１７を提供することができる。
【００２３】
従って、本実施形態によれば、以下の作用がある。
（１）落とし込み床パネル３１の床小梁３２Ａ〜３２Ｈが開口床パネル２１の開口部２１Ａの根太２２Ａ〜２２Ｃに突き当て結合される。このため、開口床パネル２１の開口部２１Ａへの落とし込み床パネル３１の取付部で、開口床パネル２１の開口部２１Ａの根太２２Ａ〜２２Ｃと落とし込み床パネル３１の外枠の床枠材との重複がなく、コスト低減できる。
【００２４】
（２）開口床パネル２１の開口部２１Ａの内側に、落とし込み床パネル３１の床小梁３２Ａ〜３２Ｈが沿い設けられることがなく、バスユニット１７の配管の落とし口を開口床パネル２１の開口部２１Ａのすぐ内側に、落とし込み床パネル３１の床小梁３２Ａ〜３２Ｈと干渉することなく配置できる。このため、建物ユニット１０内における、バスユニット１７の配管レイアウトの自由度を高めることができる。
【００２５】
（３）開口床パネル２１の開口部２１Ａを該開口床パネル２１の外縁に沿って設けるときにも、その外縁寄り開口部２１Ａの内側に落とし込み床パネル３１の外枠の床枠材が沿い設けられることがない。このため、開口床パネル２１の外縁の根太２２Ａ〜２２Ｃに設けてある頭継なぎ２４を当該建物ユニット１０の下部構造体（基礎もしくは下階建物ユニット１０）にボルト締結するためのスペースを落とし込み床パネル３１の床枠材が損なうことがなく、当該建物ユニット１０の下部構造体へのボルト締結スペースを確保できる。
【００２６】
（４）落とし込み床パネル３１の床小梁３２Ａ〜３２Ｈが先端部に設けた緊結金物３４〜４０で開口床パネル２１の開口部２１Ａの根太２２Ａ〜２２Ｃに結合される。従って、落とし込み床パネル３１の床小梁３２Ａ〜３２Ｈを、開口床パネル２１の開口部２１Ａの根太２２Ａ〜２２Ｃに強固に取付けできる。
【００２７】
（５）落とし込み床パネル３１の床小梁３２Ａ〜３２Ｈが鋼等の金属材からなるものとした。従って、落とし込み床パネル３１の厚みを薄くしても、バスユニット１７の荷重に十分耐えることができる。また、床小梁３２Ａ〜３２Ｈの高強度化により、床小梁３２Ａ〜３２Ｈの設置間隔を大きくしてもバスユニット１７の荷重に十分耐えることができ、床小梁３２Ａ〜３２Ｈと配管とが干渉しにくく、建物ユニット１０内における、バスユニット１７の配管レイアウトの自由度を高めることができる。
【００２８】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、住宅設備ユニットはバスユニットに限らず、それ自身床面をもつ箱形空間ユニットの形態が採用されるものである限り、トイレットユニット等の他の住宅設備ユニットであっても良い。
【００２９】
【発明の効果】
以上のように本発明によれば、開口床パネルの開口部に落とし込み床パネルを設ける建物ユニットにおいて、落とし込み床パネルと開口床パネルの床枠材の重複をなくしてコスト低減を図るとともに、住宅設備ユニットの配管レイアウトの自由度を高め、更に当該建物ユニットの下部構造体へのボルト締結スペースを確保することができる。
【図面の簡単な説明】
【図１】図１は建物ユニットを示す模式図である。
【図２】図２は建物ユニットへのバスユニットの設置状態を示す模式図である。
【図３】図３は図２のIII-III 線に沿う断面図である。
【図４】図４は図２のIV-IV 線に沿う断面図である。
【図５】図５は開口床パネルへの落とし込み床パネルの取付状態を示す模式図である。
【図６】図６は落とし込み床パネルを示す模式図である。
【図７】図７は落とし込み床パネルへの床面材の取付状態を示す模式図である。
【図８】図８は緊結金物を示す模式図である。
【図９】図９は緊結金物を示す模式図である。
【符号の説明】
１０  建物ユニット
１７  バスユニット（住宅設備ユニット）
２１  開口床パネル
２１Ａ  開口部
２２Ａ〜２２Ｃ  根太（床枠材）
３１  落とし込み床パネル
３２  床枠組
３２Ａ〜３２Ｈ  床小梁（床枠材）
３４〜４０  緊結金物
【図１】
0003898301.tif 000002
【図２】
0003898301.tif 000003
【図３】
0003898301.tif 000004
【図４】
0003898301.tif 000005
【図５】
0003898301.tif 000006
【図６】
0003898301.tif 000007
【図７】
0003898301.tif 000008
【図８】
0003898301.tif 000009
【図９】
0003898301.tif 000010